(57)【特許請求の範囲】
【請求項１】
筐体と、
情報が記録される記録媒体が装填され該記録媒体にアクセスする、前記筐体内に設けられて少なくとも一部が、該記録媒体が載置される媒体トレイとして該筐体の内外に移動可能なドライブと、
前記筐体内に設けられた、不要物が付く被清掃部と、
前記被清掃部に付いた不要物を掃き取るブラシと、
前記ブラシに連結されるとともに前記媒体トレイに前記ドライブの外部で連結された、該媒体トレイの動きを該ブラシに伝達することで前記不要物の掃き取りを行わせる連結部材とを備えたことを特徴とする情報記憶装置。
【請求項２】
前記筐体は空気の吸入口が形成されたものであり、
前記被清掃部品が、前記吸入口から吸入された空気中の塵埃を濾し取るフィルタであることを特徴とする請求項１記載の情報記憶装置。
【請求項３】
前記ブラシによって掃き取られた塵埃を回収する、前記ブラシに固定された塵埃回収部をさらに備えたことを特徴とする請求項２記載の情報記憶装置。
【請求項４】
前記ブラシによって掃き取られた塵埃の落下を、前記被清掃部の直下を避けるように案内する、前記ブラシに固定された案内部をさらに備えたことを特徴とする請求項２記載の情報記憶装置。
【請求項５】
前記筐体内に設けられた、熱を発する電子部品を備え、
前記被清掃部品が、前記電子部品の放熱を担う放熱フィンであることを特徴とする請求項１記載の情報記憶装置。
【発明の詳細な説明】
【技術分野】
【０００１】
本発明は、情報記憶装置に関する。
【背景技術】
【０００２】
電子部品を搭載した電子機器として、光ディスクのドライブに代表される、情報の記憶が可能な情報記憶装置を内蔵したパーソナルコンピュータ（ＰＣ）等が知られている。ここで、情報記憶装置自体も電子機器の一種であり、情報記憶装置を内蔵したＰＣはそのＰＣ全体で一種の情報記憶装置としても機能する。例えば、ＰＣでは、内蔵されたＣＰＵ等を筐体内に取り入れた空気で冷却することが広く行われている。
【０００３】
空気中には塵埃が含まれており、塵埃が電子部品等に付着すると冷却効果が低下し、塵埃の量が過度になると故障、騒音の原因となる場合もある。このため、ＰＣ内には、取り込んだ空気から塵埃を集中的に取り除くフィルタが設けられている。このフィルタについても、塵埃が蓄積すると冷却効果が減少するため、ＰＣ内から取り出し、交換または清掃によって塵埃を除去することが望ましい。
【０００４】
ここで、フィルタを人手によらず清掃する方法として、送風ファンによる逆方向への送風によってフィルタに付いた塵埃を除去する自動清掃方法が知られている（例えば、特許文献１参照。）。
【０００５】
また、光学式ディスクプレーヤーのディスクトレイやディスクのケースにブラシを設け、このブラシで光学式ピックアップの埃を払うクリーニング装置が知られている（例えば、特許文献２および特許文献３参照。）。
【特許文献１】特開２００４−６４０１０号公報
【特許文献２】実開平５−２１３３６号公報
【特許文献３】特開平１−１０５３７１号公報
【発明の開示】
【発明が解決しようとする課題】
【０００６】
しかしながら、上述した自動清掃方法では、フィルタ等に付いた塵埃を逆向きの送風だけで十分に除去できないおそれがある。また、上述したクリーニング装置では、例えば空気のフィルタといった、トレイやディスクケースがカバーする範囲外の清掃が想定されてない。
【０００７】
上記事情に鑑み、本件開示の情報記憶装置は、特別な清掃作業を要さずに、例えばフィルタといった装置内部に配置された被清掃部の清掃がより確実に行える情報記憶装置を提供する。
【課題を解決するための手段】
【０００８】
本件開示の情報記憶装置の基本形態は、
筐体と、
情報が記録される記録媒体が装填されこの記録媒体にアクセスする、上記筐体内に設けられて少なくとも一部が、この記録媒体が載置される媒体トレイとしてこの筐体の内外に移動可能なドライブと、
上記筐体内に設けられた、不要物が付く被清掃部と、
上記被清掃部に付いた不要物を掃き取るブラシと、
上記ブラシと上記媒体トレイとの双方に連結された、この媒体トレイの動きをこのブラシに伝達することで上記不要物の掃き取りを行わせる連結部材とを備えている。
【０００９】
この基本形態によれば、連結部材を介してドライブが有する媒体トレイと連結されたブラシが、媒体トレイの動きに応じて被清掃部に付いた不要物を掃き取るので、媒体の装填の際に清掃が行われ、しかも不要物を送風による方法に比べより確実に取り除くことができる。
【発明の効果】
【００１０】
以上説明したように、情報記憶装置の上記基本形態によれば、特別な清掃作業を要さずに被清掃部の清掃がより確実に行える。
【発明を実施するための最良の形態】
【００１１】
上記基本形態に対し、「上記筐体は空気の吸入口が形成されたものであり、
上記被清掃部品が、上記吸入口から吸入された空気中の塵埃を濾し取るフィルタである」という応用形態は好適である。
【００１２】
フィルタで濾し取られた塵埃は送風によって清掃することが困難であるが、この好適な応用形態によれば、フィルタの目詰まりをより確実に抑えることができる。
【００１３】
基本形態および応用形態について上記説明した情報記憶装置に対する具体的な実施形態を、以下図面を参照して説明する。
【００１４】
図１、図２、および図３は、情報記憶装置の具体的な第１実施形態であるパーソナルコンピュータ（ＰＣ）の構造を示す図である。図１はＰＣを前面側から見た斜視図であり、図２は平面図であり、図３は側面図である。なお、ＰＣの筐体内部の部品について、図１では破線で示しているが、図２および図３では、上下前後関係を判りやすくするため一部実線で示している。
【００１５】
図１〜図３に示すＰＣ１は、筐体１１、光ディスクドライブ１２、回路基板１３（図３）、電源装置１４、集塵フィルタ１５、ブラシ１６、および連結棒１７を備えている。
【００１６】
ここで、光ディスクドライブ１２は、上述した基本形態におけるドライブの一例に相当し、集塵フィルタ１５は、上述した基本形態における被清掃部の一例に相当する。また、連結棒１７は、上述した基本形態における連結部材の一例に相当する。
【００１７】
回路基板１３には、ＰＣ１の各部を制御する電子部品としてのＣＰＵ（Ｃｅｎｔｒａｌ  Ｐｒｏｃｅｓｓｉｎｇ  Ｕｎｉｔ）１３２が実装されている。ＣＰＵ１３２は動作のために電力を消費して発熱する。ＣＰＵ１３２の上にはＣＰＵ１３２の放熱を担う放熱フィン１３３が設けられており、放熱フィン１３３のさらに上には、放熱フィン１３３に向けて送風するファン１３４が設けられている。放熱フィン１３３は、板状の複数のフィンが隣同士で向き合うように一列に並んで基部に立っている形状を有している。回路基板１３にはＣＰＵ１３２の他にも電子部品が搭載されているが、詳細な説明および図示は省略する。
【００１８】
筐体１１は箱型の形状であり、回路基板１３をはじめＰＣ１の各部品が収められている。筐体１１のうち、回路基板１３に搭載されたＣＰＵ１３２の上方の部分には、冷却に使用する空気を吸入する吸入口１１２が形成されている。筐体１１上部の吸入口１１２から筐体１１内部に吸入された空気は、送風するファン１３４によって放熱フィン１３３に送られ放熱フィン１３３の熱を奪う。これによってＣＰＵ１３２が冷却される。また、ＰＣ１の各部に電源を供給する電源装置１４には、筐体１１内の空気を筐体１１外部に排出する排気ファン１４１が設けられている。放熱フィン１３３を通過した空気は、筐体１１内部さらに電源装置１４内部を通過し、排気ファン１４１によって筐体１１外部に排出される。図２および図３には、上述した空気の主な経路が一点鎖線で示されている。
【００１９】
集塵フィルタ１５は細かい網状の繊維で形成されており、この集塵フィルタ１５を通過する空気中の塵埃を濾し取る。集塵フィルタ１５は、筐体１１の吸入口１１２が形成された部分の直下に固定されており、吸入口１１２から吸入される空気の経路を横切って配置されている。このため、集塵フィルタ１５は、吸入口１１２から吸入された空気中の塵埃を濾し取る。
【００２０】
光ディスクドライブ１２は、情報が記録される記録媒体としての光ディスクＤが装填され、この光ディスクＤにアクセスする。より詳細には、光ディスクドライブ１２は、ＣＰＵ１３２の制御に応じて、ＰＣ１に入力されたデータまたはＰＣ１で処理されたデータを光ディスクＤに記録し、また、光ディスクＤに記録されたデータを再生しＣＰＵ１３２に供給する。光ディスクドライブ１２は、この光ディスクドライブ１２の一部として媒体トレイ１２２を有している。媒体トレイ１２２には光ディスクＤが載置され、その前面部分は筐体１１の前面に露出している。光ディスクドライブ１２には、媒体トレイ１２２を駆動する図示しないモータが設けられており、ＰＣ１のユーザによるスイッチ１２３の操作に応じて媒体トレイ１２２が駆動される。媒体トレイ１２２が前後方向Ｆで移動することによって、媒体トレイ１２２に搭載された光ディスクＤが光ディスクドライブ１２に対して装填／開放される。図１〜３には、光ディスクＤが装填された状態が示されている。
【００２１】
ブラシ１６は、集塵フィルタ１５についた塵埃を掃き取る部材であり、前後方向Ｆで移動自在となるよう筐体１１に取り付けられている。図１〜３には、ブラシ１６が後側にある状態が示されている。連結棒１７は、ブラシ１６と媒体トレイ１２２との双方に連結されており、媒体トレイ１２２の動きをブラシ１６に伝達する。このため、媒体トレイ１２２が前方に移動すると、ブラシ１６が図１〜３に示す位置から前方に向かって移動する。このとき、ブラシ１６の先端は集塵フィルタ１５に接触し、集塵フィルタ１５に付着した塵埃を掃き取る。媒体トレイ１２２が後方に移動する場合には、ブラシ１６も後方に移動しながら集塵フィルタ１５の塵埃を掃き取る。
【００２２】
集塵フィルタ１５には、吸入口１１２から吸入された空気中の塵埃が次第に蓄積するが、集塵フィルタ１５に蓄積した塵埃は、ユーザの操作に応じて光ディスクＤが光ディスクドライブ１２に装填／開放される際にブラシ１６によって掃き取られる。この結果、集塵フィルタ１５の目詰まりが抑えられる。このようにして、ユーザが清掃作業を意識して行わなくとも、集塵フィルタ１５の清掃が行われる。また、ブラシ１６は媒体トレイ１２２の動きによって移動するので、ブラシ１６を駆動するため専用の駆動機構を設けることなく簡単な機構で集塵フィルタ１５の性能を維持することができる。さらに、塵埃はブラシ１６で掃き取られるので、例えば送風による方法に比べより確実に取り除かれる。
【００２３】
上記被清掃部品がフィルタであるである上記応用形態に対し、上記ブラシによって掃き取られた塵埃を回収する、上記ブラシに固定された塵埃回収部をさらに備えた応用形態は好適である。
【００２４】
この好適な応用形態によれば、掃き取られた塵埃が筐体内で拡散することが抑えられる。
【００２５】
続いて、上記基本形態および応用形態の情報記憶装置の具体的な第２実施形態について説明する。以下の第２実施形態の説明にあたっては、これまで説明してきた実施形態における各要素と同一の要素には同一の符号を付けて示すか符号を省略し、前述の実施形態との相違点について説明する。
【００２６】
図４は、情報記憶装置の具体的な第２実施形態であるＰＣの構造を示す側面図である。
【００２７】
図４に示すＰＣ２は、塵埃回収箱２８が設けられている点が、図１〜３に示す第１実施形態のＰＣ１と異なる。ここで、塵埃回収箱２８は、上述した応用形態における塵埃回収部の一例に相当する。
【００２８】
図５は、図４に示すＰＣのブラシおよび塵埃回収箱を示す拡大斜視図である。
【００２９】
図４および図５に示すように、塵埃回収箱２８は、ブラシ１６の下に配置されており、ブラシ１６に固定されている。したがって、塵埃回収箱２８はブラシ１６とともに、媒体トレイ１２２の移動に合わせて前後方向で移動する。ブラシ１６によって掃き取られた集塵フィルタ１５の塵埃は落下し、ブラシ１６の下に配置された塵埃回収箱２８に回収される。このため、掃き取られた塵埃の拡散が抑えられる。
【００３０】
上記被清掃部品がフィルタであるである応用形態に対し、上記ブラシによって掃き取られた塵埃の落下を、上記被清掃部の直下を避けるように案内する、上記ブラシに固定された案内部をさらに備えた応用形態は好適である。
【００３１】
空気で冷却する部品は冷却効率の観点からフィルタの直下に配置される場合が多いが、この好適な応用形態によれば、塵埃を掃き取りつつこの塵埃が直下へ落下する事態を抑えることができる。例えば、掃き取られた塵埃が、特に、集塵フィルタ１５の直下にあるファン１３４や放熱フィン１３３に付着することを避けることは望ましい。
【００３２】
続いて、塵埃回収箱を用いることなしに、ファンや放熱フィンへの塵埃の付着が抑えられた、上記基本形態および応用形態の情報記憶装置の具体的な第３実施形態について説明する。以下の第３実施形態の説明にあたっては、これまで説明してきた実施形態における各要素と同一の要素には同一の符号を付けて示すか符号を省略し、前述の実施形態との相違点について説明する。
【００３３】
図６は、情報記憶装置の具体的な第３実施形態であるＰＣのブラシおよび塵埃回収箱を示す拡大斜視図である。
【００３４】
第３実施形態のＰＣは、塵埃回収箱の代わりに案内部３８が設けられていることが第２実施形態のＰＣ２と異なる。
【００３５】
図６に示すように、案内部３８は、ブラシ１６の下に配置されておりブラシ１６に固定されている。案内部３８は、山形に組み合わせられた２枚の板で構成されており、ブラシ１６によって掃き取られた塵埃の落下を、集塵フィルタ１５（図４参照）の直下を避けるように案内する。この案内部３８はブラシ１６とともに、媒体トレイ１２２（図４参照）の移動に合わせ前後方向で移動する。ブラシ１６によって掃き取られた塵埃は落下し、案内部３８で案内され、ファン１３４や放熱フィン１３３を避けて落下する。
【００３６】
上記基本形態に対し、「上記筐体内に設けられた、熱を発する電子部品を備え、
上記被清掃部品が、上記電子部品の放熱を担う放熱フィンである」という応用形態は好適である。
【００３７】
この好適な応用形態によれば、媒体の装填の際に放熱フィンの塵埃を掃き取られ、放熱フィンの放熱性能が維持される。
【００３８】
続いて、上記基本形態および応用形態の情報記憶装置の具体的な第４実施形態について説明する。以下の第４実施形態の説明にあたっては、これまで説明してきた実施形態における各要素と同一の要素には同一の符号を付けて示すか符号を省略し、前述の実施形態との相違点について説明する。
【００３９】
図７は、情報記憶装置の具体的な第４実施形態であるＰＣの構造を示す側面図である。
【００４０】
図７に示すＰＣ４は、塵埃フィルタが設けられておらず、ブラシ４６が放熱フィン４３３に付着した塵埃を掃き取るものとなっていることが、図１〜３に示す第１実施形態のＰＣ１と異なる。ここで、放熱フィン４３３は、上述した応用形態における被清掃部品の一例に相当する。
【００４１】
図８は、図７に示すＰＣにおける放熱フィンおよびブラシの配置を示す図である。図８のパート（Ａ）は平面図であり、パート（Ｂ）はＰＣ４の前面から見た正面図である。なお図８のパート（Ｂ）にはファン１３４も示されている。
【００４２】
放熱フィン１３３は、複数の板が隣同士で向き合うように横一列に並んで配置された構造を有している。ブラシ４６は、放熱フィン１３３を構成する複数のフィンに応じて複数設けられている。連結棒４７はブラシ４６側の先端が枝分かれしており、ブラシ４６のそれぞれに連結されている。ブラシ４６のそれぞれは隣合うフィンの間を通り、両側でこれら隣合うフィンの両方に接触する位置に配置されている。ブラシ４６のそれぞれは、放熱フィン１３３の高さとほぼ同等の高さに形成されている。
【００４３】
ブラシ４６は、媒体トレイ１２２の移動に合わせて前後方向で移動し、放熱フィン１３３に付着した塵埃を掃き取る。これによって、放熱フィン１３３における放熱性能の低下が抑えられる。
【００４４】
本件開示の電子装置の基本形態は、
空気の吸入口が設けられた筐体と、
上記筐体内に設けられた電子部品と、
ロール状に巻かれて一部が引き出された、その引き出された箇所が、上記吸入口から吸入される空気の経路を横切っている、表面に粘着性を有しこの表面の粘着性でこの空気中の塵埃を捕まえるフィルタとを備えている。
【００４５】
この電子装置の基本形態によれば、吸入口から吸入された空気の塵埃が、ロール状に巻かれて一部が引き出されたフィルタの引き出された箇所に捕まえられる。この箇所に塵埃が蓄積した場合にはロール状に巻かれた部分からフィルタをさらに引き出すことにより、簡単な構成でフィルタの性能を維持することができる。
【００４６】
続いて、電子装置の具体的な第１実施形態に相当する、情報記憶装置の具体的な第５実施形態について説明する。以下の第５実施形態の説明にあたっては、これまで説明してきた実施形態における各要素と同一の要素には同一の符号を付けて示すか符号を省略し、前述の実施形態との相違点について説明する。
【００４７】
図９および図１０は、情報記憶装置の具体的な第５実施形態であるＰＣの構造を示す図である。図９は平面図であり図１０は側面図である。
【００４８】
図９および図１０に示すＰＣ５は、ブラシおよび連結棒を備えておらず、ロール状に巻かれたフィルタ５９を備えている点が、図１〜３に示す第１実施形態のＰＣ１と異なる。
【００４９】
フィルタ５９は一部５９ａが引き出されており、引き出された一部５９ａが吸入口１１２から吸入される空気の経路を横切って配置されている。引き出された一部５９ａはさらに筐体１１の外部に突出している。フィルタ５９は表面に粘着性を有しており、この表面の粘着性で、空気中の塵埃を捕まえる。また、フィルタ５９には空気を通過させる孔も形成されている。
【００５０】
図９および図１０に示すＰＣ５において、吸入口１１２から吸入された空気はフィルタ５９の表面に沿って流れ、フィルタ５９の脇や穴を通過してファン１３４に向かう。このとき、吸入口１１２から吸入された空気の塵埃がフィルタ５９の引き出された一部５９ａに捕まえられる。捕まえられた塵埃が、フィルタ５９の引き出された一部５９ａに蓄積すると捕獲能力が低下する。ＰＣ５のユーザがフィルタ５９の引き出された一部５９ａのうち、筐体１１の外に突出した部分を引くことによって、この一部５９ａが筐体１１の外に排出されてくるとともに、フィルタ５９の巻かれていた部分が新たに引き出され、空気の経路を横切る位置に配置される。このようにして、フィルタ５９の塵埃を捕らえる能力が維持される。
【００５１】
上述した電子装置の基本形態に対し、上記筐体内に設けられた、上記フィルタの引き出された部分を巻き取ってこのフィルタの新たな部分を引き出す巻取り部をさらに備えた応用形態は好適である。
【００５２】
この好適な応用形態によれば、巻取り部にフィルタの引き出された部分を巻き取らせることによってフィルタの性能を維持することができる。
【００５３】
続いて、電子装置の具体的な第２実施形態に相当する、情報記憶装置の具体的な第６実施形態について説明する。この第６実施形態は、上記基本形態および応用形態の電子装置の具体的な第２実施形態に相当する。以下の第６実施形態の説明にあたっては、これまで説明してきた実施形態における各要素と同一の要素には同一の符号を付けて示すか符号を省略し、前述の実施形態との相違点について説明する。
【００５４】
図１１および図１２は、情報記憶装置の具体的な第６実施形態であるＰＣの構造を示す図である。図１１は平面図であり図１２は側面図である。
【００５５】
図１１および図１２に示すＰＣ６は、筐体１１内に、フィルタの引き出された部分を巻き取る巻取り部６９１を備えている点が、図９および図１０に示す第５実施形態のＰＣ５と異なる。
【００５６】
巻取り部６９１は、回転することによって、フィルタ５９の引き出された部分５９ａを巻き取ってフィルタ５９の新たな部分を引き出す。巻取り部６９１は、回転軸の一部が筐体１１の外部に突出している。この突出した部分をＰＣ６のユーザが手で操作して回転すると、巻取り部６９１がフィルタ５９の引き出された部分５９ａを巻き取る。これによって、塵埃が蓄積した部分を筐体１１の外部に排出することなく、簡単な操作でフィルタの性能を維持することができる。
【００５７】
なお、具体的な各実施形態に対する上記説明では、情報記憶装置および電子装置の一例としてＰＣが示されているが、この情報記憶装置および電子装置は、ＰＣ以外にも光ディスクレコーダであってもよく、あるいはテープレコーダであってもよい。
【００５８】
また、具体的な各実施形態に対する上記説明では、情報記憶装置の基本形態におけるドライブの一例として光ディスクドライブ１２が示されているが、このドライブは、光ディスクドライブ以外にも光磁気ディスクドライブであってもよく、あるいはディスク媒体以外の媒体にアクセスする装置であってもよい。
【００５９】
また、具体的な各実施形態に対する上記説明では、情報記憶装置の基本形態におけるドライブの一例として光ディスクドライブの一部として媒体トレイを有する例が示されているが、このドライブは、媒体トレイを一部として有するもの以外にも、例えばノート型ＰＣに搭載される光ディスクドライブのように、記録媒体にアクセスする部分も含めた全体が移動可能なドライブであってもよい。
【００６０】
また、具体的な各実施形態に対する上記説明では、情報記憶装置の応用形態におけるフィルタの一例として細かい網状の繊維で形成された集塵フィルタ１５が示されているが、このフィルタは、繊維以外にも金属製の網であってもよく、あるいは合成樹脂材料の網であってもよい。
【００６１】
また、具体的な各実施形態に対する上記説明では、情報記憶装置の基本形態における連結部材の一例として連結棒１７が示されているが、この連結部材は、棒以外にも例えば板状の部材であってもよい。
【００６２】
また、具体的な各実施形態に対する上記説明では、情報記憶装置の応用形態における塵埃回収部の一例として塵埃回収箱２８が示されているが、この塵埃回収部は、箱以外にも例えば、図９に示したフィルタであってもよい。
【００６３】
また、具体的な各実施形態に対する上記説明では、電子装置の応用形態における電子部品の一例としてＣＰＵが示されているが、この電子部品は、機械的な方法を使わずに電圧や電流を制御したり切り替えたりする部品であればよく、ＣＰＵ以外にも例えば、メモリに代表される回路部品であってもよく、また、電源モジュールに代表される組み立て品であってもよい。
【００６４】
また、具体的な各実施形態に対する上記説明では、電子装置の一例として、情報記憶装置およびＰＣが示されているが、この電子装置は、電子部品を搭載した装置であればよく、例えばコンピュータに代表される情報処理装置や、ＤＶＤプレーヤに代表される媒体再生装置であってもよい。
【００６５】
以下、上述した基本形態および応用形態を含む種々の形態に関し、さらに以下の付記を開示する。
【００６６】
（付記１）
筐体と、
情報が記録される記録媒体が装填され該記録媒体にアクセスする、前記筐体内に設けられて少なくとも一部が、該記録媒体が載置される媒体トレイとして該筐体の内外に移動可能なドライブと、
前記筐体内に設けられた、不要物が付く被清掃部と、
前記被清掃部に付いた不要物を掃き取るブラシと、
前記ブラシと前記媒体トレイとの双方に連結された、該媒体トレイの動きを該ブラシに伝達することで前記不要物の掃き取りを行わせる連結部材とを備えたことを特徴とする情報記憶装置。
【００６７】
（付記２）
前記筐体は空気の吸入口が形成されたものであり、
前記被清掃部品が、前記吸入口から吸入された空気中の塵埃を濾し取るフィルタであることを特徴とする付記１記載の情報記憶装置。
【００６８】
（付記３）
前記ブラシによって掃き取られた塵埃を回収する、前記ブラシに固定された塵埃回収部をさらに備えたことを特徴とする付記２記載の情報記憶装置。
【００６９】
（付記４）
前記ブラシによって掃き取られた塵埃の落下を、前記被清掃部の直下を避けるように案内する、前記ブラシに固定された案内部をさらに備えたことを特徴とする付記２記載の情報記憶装置。
【００７０】
（付記５）
前記筐体内に設けられた、熱を発する電子部品を備え、
前記被清掃部品が、前記電子部品の放熱を担う放熱フィンであることを特徴とする付記１記載の情報記憶装置。
【００７１】
（付記６）
空気の吸入口が設けられた筐体と、
前記筐体内に設けられた電子部品と、
ロール状に巻かれて一部が引き出された、その引き出された箇所が、前記吸入口から吸入される空気の経路を横切っている、表面に粘着性を有し該表面の粘着性で該空気中の塵埃を捕まえるフィルタとを備えたことを特徴とする電子装置。
【００７２】
（付記７）
前記筐体内に設けられた、前記フィルタの引き出された部分を巻き取って該フィルタの新たな部分を引き出す巻取り部をさらに備えたことを特徴とする付記６記載の電子装置。
【図面の簡単な説明】
【００７３】
【図１】情報記憶装置の具体的な第１実施形態であるＰＣの構造を示す斜視図である。
【図２】情報記憶装置の具体的な第１実施形態であるＰＣの構造を示す平面図である。
【図３】情報記憶装置の具体的な第１実施形態であるＰＣの構造を示す側面図である。
【図４】情報記憶装置の具体的な第２実施形態であるＰＣの構造を示す側面図である。
【図５】図４に示すＰＣのブラシおよび塵埃回収箱を示す拡大斜視図である。
【図６】情報記憶装置の具体的な第３実施形態であるＰＣのブラシおよび塵埃回収箱を示す拡大斜視図である。
【図７】情報記憶装置の具体的な第４実施形態であるＰＣの構造を示す側面図である。
【図８】図７に示すＰＣにおける放熱フィンおよびブラシの配置を示す図である。
【図９】情報記憶装置の具体的な第５実施形態であるＰＣの構造を示す平面図である。
【図１０】情報記憶装置の具体的な第５実施形態であるＰＣの構造を示す側面図である。
【図１１】情報記憶装置の具体的な第６実施形態であるＰＣの構造を示す平面図である。
【図１２】情報記憶装置の具体的な第６実施形態であるＰＣの構造を示す側面図である。
【符号の説明】
【００７４】
１，２，４，５，６    ＰＣ（情報記憶装置，電子装置）
１１    筐体
１２    光ディスクドライブ（ドライブ）
１２２    媒体トレイ
１５    集塵フィルタ（被清掃部，フィルタ）
１６，４６    ブラシ
１７,４７    連結棒（連結部材）
２８    塵埃回収箱（塵埃回収部）
３８    案内部
５９    フィルタ
１１２    吸入口
１３２    ＣＰＵ（電子部品）
１３３    放熱フィン
１３４    ファン
１４１    排気ファン
４３３    放熱フィン（被清掃部品）
６９１    巻き取り部
【図１】
0005003579.tif 000002
【図２】
0005003579.tif 000003
【図３】
0005003579.tif 000004
【図４】
0005003579.tif 000005
【図５】
0005003579.tif 000006
【図６】
0005003579.tif 000007
【図７】
0005003579.tif 000008
【図８】
0005003579.tif 000009
【図９】
0005003579.tif 000010
【図１０】
0005003579.tif 000011
【図１１】
0005003579.tif 000012
【図１２】
0005003579.tif 000013